(57)【要約】【課題】被覆電線の止水加工処理が容易で確実に止水する。【解決手段】被覆電線の止水構造は、被覆電線１と電気的に接続される第１及び第２の接続部１１，１２を有する接続端子１０と、第１及び第２の接続部１１，１２の間で被覆電線１を２つに区画する区切部１３と、接続端子１０と被覆電線１の任意箇所とを取り囲む上防水ケース２１及び下防水ケース２２からなる防水ケースとを備え、区切部１３で被覆電線１を２つに分断し、被水側の端末部から被覆電線内に侵入した水が他端側に伝わるのを防止する構成となっている。【選択図】図１
2014110092.tif 000002
【特許請求の範囲】
【請求項１】
被覆電線と電気的に接続される第１及び第２の接続部を有する接続端子と、
前記第１及び第２の接続部の間で前記被覆電線を２つに区画する区切部と、
少なくとも前記第２の接続部と前記区切部とを取り囲む防水ケースとを備え、
前記第２の接続部は、前記区切部よりも被水側の端末部から離れた位置に配置されている
ことを特徴とする被覆電線の止水構造。
【請求項２】
前記区切部は、前記接続端子に形成されている
ことを特徴とする請求項１記載の被覆電線の止水構造。
【請求項３】
前記区切部は、前記防水ケースに形成されている
ことを特徴とする請求項１記載の被覆電線の止水構造。
【請求項４】
前記防水ケースは、下方にケース内部の水を排出する排水部を有する
ことを特徴とする請求項１〜３のいずれか１項記載の被覆電線の止水構造。
【発明の詳細な説明】
【技術分野】
【０００１】
この発明は、被水側の端末部から被覆電線内に浸入した水を、配線経路の任意箇所で止水する止水構造に関する。
【背景技術】
【０００２】
従来より、被覆電線の止水構造として、下記特許文献１に開示された止水構造が知られている。この止水構造は、スロット部に圧入された被覆電線の被覆を切り裂いて内部導体を露出させる圧接端子と、圧接端子等を覆うケース体と、ケース体内に充填されるシール材とからなり、シール材を、内部導体を露出させた部位から内部導体間の隙間に浸透させることによって止水している。
【先行技術文献】
【特許文献】
【０００３】
【特許文献１】特許第３４４６６５６号公報
【発明の概要】
【発明が解決しようとする課題】
【０００４】
しかしながら、上記特許文献１に開示された従来技術の止水構造では、ケース体内に充填したシール材を内部導体間の隙間が完全に埋まるように浸透させる必要があり、被覆電線の内部導体中心側へのシール材の浸透が十分でないと、止水が困難となるという問題がある。
【０００５】
この発明は、上述した従来技術による問題点を解消し、確実に止水することができる被覆電線の止水構造を提供することを目的とする。
【課題を解決するための手段】
【０００６】
本発明に係る被覆電線の止水構造は、被覆電線と電気的に接続される第１及び第２の接続部を有する接続端子と、前記第１及び第２の接続部の間で前記被覆電線を２つに区画する区切部と、少なくとも前記第２の接続部と前記区切部とを取り囲む防水ケースとを備え、前記第２の接続部は、前記区切部よりも被水側の端末部から離れた位置に配置されていることを特徴とする。
【０００７】
本発明に係る被覆電線の止水構造によれば、接続端子の第１及び第２の接続部間で区切部により被覆電線を２つに区画（分断）して止水するので、別途従来のようなシール材の充填が不要で止水加工処理が容易となり、被覆電線の内部導体を伝ってきた水を確実に止水することができる。
また区切部で２つに区画（分断）された被覆電線は、接続端子によって電気的導通が確保されている。
【０００８】
本発明の一実施形態においては、前記区切部は、前記接続端子に形成されている。
【０００９】
本発明の他の実施形態においては、前記区切部は、前記防水ケースに形成されている。
【００１０】
本発明の更に他の実施形態においては、前記防水ケースは、下方にケース内部の水を排出する排水部を有する。
【発明の効果】
【００１１】
本発明によれば、被覆電線の止水加工処理が容易で確実に止水することができる。
【図面の簡単な説明】
【００１２】
【図１】本発明の第１の実施形態に係る被覆電線の止水構造を示す断面図である。
【図２】同被覆電線の止水構造に用いられる接続端子を示す斜視図である。
【図３】本発明の第２の実施形態に係る被覆電線の止水構造を示す断面図である。
【図４】本発明の第３の実施形態に係る被覆電線の止水構造を示す断面図である。
【図５】本発明の第３の実施形態に係る被覆電線の止水構造を示す断面図である。
【発明を実施するための形態】
【００１３】
以下、添付の図面を参照して、この発明の実施の形態に係る被覆電線の止水構造を詳細に説明する。図１は、本発明の第１の実施形態に係る被覆電線の止水構造を示す断面図である。図２は、被覆電線の止水構造に用いられる接続端子を示す斜視図である。図１に示すように、本実施形態に係る被覆電線の止水構造は、次のように構成されている。
【００１４】
すなわち、止水構造は、止水すべき被覆電線１と、被覆電線１の所定箇所を２つに区画（分断）する区切部１３と、これら２つに区画（分断）された被覆電線１の両区画を電気的に接続する接続端子１０と、被覆電線１及び接続端子１０を収容する防水ケースとしての上防水ケース２１及び下防水ケース２２とにより構成される。被覆電線１は、例えば車両に適用されるアース線等であり、複数の細い内部導体を撚り合わせた芯線２を樹脂等の被覆３で覆った構造からなる。
【００１５】
このような構造の被覆電線１は、被水側の端末部から、水が毛細管現象によって被覆電線内（被覆３と芯線２との隙間、或いは芯線２の内部導体間の隙間）に浸入し、その水が他端側の端末部にまで伝わってしまうことがある。そこで、本実施形態に係る止水構造では、被覆電線１の任意箇所で上及び下防水ケース２１，２２内において、被水側の端末部から被覆電線内に浸入してきた水を止水し、他端側の端末部に水が浸透してしまうのを防止するようにしている。
【００１６】
具体的には、図２に示すように、接続端子１０が被覆電線１の異なる箇所とそれぞれ電気的に接続される第１の接続部１１及び第２の接続部１２を有し、これら第１及び第２の接続部１１，１２の間で被覆電線１を２つに区画する区切部１３を更に有する構造を備えている。第１及び第２の接続部１１，１２は、例えば被覆電線１の被覆３を切り裂いて芯線２と接触する二股の圧接刃１１ａ，１２ａをそれぞれ備え、連結部１４の端部側に立設されている。
なお図２において、第２の接続部１２は、第１の接続部１１や区切部１３よりも被水側の端末部から離れた位置に配置された接続部である。
【００１７】
区切部１３は、被覆電線１を被覆３及び芯線２ごと切断する切断刃１３ａを備え、第１及び第２の接続部１１，１２間の連結部１４に立設されている。このように構成された接続端子１０においては、被覆電線１が第１及び第２の接続部１１，１２に電気的に接続されると同時に区切部１３によってこれらの間で２つに区画（分断）される。
これによって、上述したような被覆電線内に浸入してきた水は、区切部１３による区画箇所で確実に遮断され止水される。
【００１８】
上防水ケース２１及び下防水ケース２２は、互いに上下方向から嵌合可能なコの字断面形状の樹脂成形部材であり、本例では接続端子１０全体と共に被覆電線１の任意箇所を覆う形状に形成され、例えば下防水ケース２２には、被覆電線１を通すスリット部２２ａが形成されている。スリット部２２ａの被覆電線１との接触箇所には、Ｏリング等による防水処理が施されていても良い。
【００１９】
本実施形態に係る止水構造では、別途上及び下防水ケース２１，２２内に従来のようなシール材等を充填する必要がないので、被覆電線１の止水加工処理が容易となる。また、被覆電線１を２つに区画（分断）するので、被水側の端末部から被覆電線内に浸入してきた水を確実に止水することができる。なお、図示は省略するが、上及び下防水ケース２１，２２は、少なくとも区切部１３と、区切部よりも被水側の端末部から離れた位置にある第２の接続部１２とを覆う構造であれば良い。
【００２０】
また、第１及び第２の接続部１１，１２は、圧接刃１１ａ，１２ａによる圧接構造の他、例えば被覆電線１を突き刺す突き刺し接続構造や、溶接による接続構造などを備えていても良い。この止水構造によれば、被覆電線１の芯線２による電気的導通は、上及び下防水ケース２１，２２内の接続端子１０の第１及び第２の接続部１１，１２並びに連結部１４を介して確保される。
【００２１】
図３は、本発明の第２の実施形態に係る電線の止水構造を示す断面図である。図３に示すように、第２の実施形態に係る被覆電線の止水構造は、区切部１３が接続端子１０ではなく上防水ケース２１に設けられている点が、第１の実施形態に係る被覆電線の止水構造と相違している。
【００２２】
すなわち、接続端子１０が圧接刃１１ａ，１２ａをそれぞれ有する第１及び第２の接続部１１，１２を備え、上防水ケース２１の内側壁面２１ａにおける第１及び第２の接続部１１，１２間に対応する箇所に、接続端子１０の連結部１４方向に延びる区切部１３が設けられている。
【００２３】
このように構成された第２の実施形態に係る被覆電線の止水構造においても、上記第１の実施形態に係る被覆電線の止水構造と同様に、電線１の止水加工処理が容易で、浸入してきた水を区切部１３において確実に止水することができる。
【００２４】
図４及び図５は、本発明の第３の実施形態に係る被覆電線の止水構造を示す断面図である。図４，５に示すように、第３の実施形態に係る被覆電線の止水構造は、防水ケースの構造が異なる点が、第１及び第２の実施形態に係る被覆電線の止水構造と相違している。すなわち、図４に示すものでは、上述した上防水ケース２１及び下防水ケース２２を被覆電線１回りに９０°回転させたような形状の左防水ケース２３及び右防水ケース２４からなる防水ケースが採用されている。
【００２５】
これら左及び右防水ケース２３，２４の下方における内側壁面２３ａ，２４ａは、それぞれ傾斜面を構成し、左防水ケース２３の一部には、内側壁面２３ａ，２４ａの合わせ面を省いた排水部２３ｂが形成されている。これにより、防水ケース内の下方に溜まる水を、排水部２３ｂから効果的に排出することができる。その他、図５に示すように、下防水ケース２２の内側底面２２ｂを傾斜面とし、一部に穴状の排水部２３ｂを形成して同様に排水を行うようにしても良い。
【符号の説明】
【００２６】
１              被覆電線
２              芯線
３              被覆
１０            接続端子
１１            第１の接続部
１１ａ，１２ａ  圧接刃
１２            第２の接続部
１３            区切部
１３ａ          切断刃
２１            上防水ケース
２２            下防水ケース
【図１】
2014110092.tif 000003
【図２】
2014110092.tif 000004
【図３】
2014110092.tif 000005
【図４】
2014110092.tif 000006
【図５】
2014110092.tif 000007